【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
内視鏡的縫合装置であって、
関節運動可能なネックアセンブリであって、自身の縦方向軸を横断する少なくとも１つの方向への関節運動のために構成および適合される、ネックアセンブリと、
該ネックアセンブリの遠位端上に動作可能に支持されるツールアセンブリと、
該ツールアセンブリと動作可能に関連付けられる縫合針であって、該ツールアセンブリは、互いに関連付けられる一対の並列のジョーを含み、各ジョーは、自身の組織接触表面に形成される針受容陥凹を画定する、縫合針と
を備える、装置。
【請求項２】
各ジョーにおいて摺動可能に支持される、軸方向に平行移動可能な針係合ブレードをさらに備える、請求項１に記載の内視鏡的縫合装置。
【請求項３】
各ブレードは、前進位置を含み、ここにおいて、前記縫合針が前記それぞれのジョーの中にあるときに、該ブレードの遠位端は、該縫合針を係合して、それによって該縫合針を自身で確保する、請求項２に記載の内視鏡的縫合装置。
【請求項４】
各ブレードは、後退位置を含み、ここにおいて、該ブレードの遠位端は、前記縫合針との係合から外れている、請求項２に記載の内視鏡的縫合装置。
【請求項５】
前記一対のブレードは、互いに対して反対方向に平行移動するように、互いに動作可能に接合される、請求項２に記載の内視鏡的縫合装置。
【請求項６】
前記ネックアセンブリを通って平行移動可能に延在し、前記一対のジョーに動作可能に接続される、作動ケーブルをさらに備える、請求項１に記載の内視鏡的縫合装置。
【請求項７】
前記作動ケーブルは、前記ジョーが互いから離れて間隔を置く、第１の位置と、該一対のジョーが互いに近接して間隔を置く関係にある、第２の位置とを含む、請求項６に記載の内視鏡的縫合装置。
【請求項８】
前記作動ケーブルは、前記ネックアセンブリの中心軸に沿って配置されてもよい、請求項７に記載の内視鏡的縫合装置。
【請求項９】
前記ネックアセンブリを通って摺動可能に延在し、そして、前記ツールアセンブリおよび該ネックアセンブリの遠位端のうちの１つに固定的に接続される遠位端を有する、少なくとも１つの関節運動ケーブルをさらに備える、請求項１に記載の内視鏡的縫合装置。
【請求項１０】
前記関節運動ケーブルは、前記ネックアセンブリの中心軸から距離をあけた軸に沿って配置される、請求項９に記載の内視鏡的縫合装置。
【請求項１１】
前記作動ケーブルの対向する側に沿って、前記ネックアセンブリを通って摺動可能に延在する、一対の関節運動ケーブルをさらに備える、請求項６に記載の内視鏡的縫合装置。
【請求項１２】
前記作動ケーブルの遠位端にキー接続されるカムハブをさらに備え、それにより、該カムハブに対する該作動ケーブルの軸方向運動を可能にし、該カムハブは、該作動ケーブルの回転時に回転する、請求項６に記載の内視鏡的縫合装置。
【請求項１３】
前記カムハブは、該カムハブの回転が、前記一対のブレードのそれぞれの軸方向平行移動をもたらすような態様で、各ブレードの近位端に動作可能に接続される、請求項１２に記載の内視鏡的縫合装置。
【請求項１４】
前記縫合針は、自身から延在する、ある長さの鉤付き縫合糸を含む、請求項１に記載の内視鏡的縫合装置。
【請求項１５】
ある長さのネックアセンブリの少なくとも一部に沿って延在するチャネルであって、手術器具が選択的に通過させられる通路を画定する、チャネルをさらに備える、請求項１に記載の内視鏡的縫合装置。
【請求項１６】
前記ネックアセンブリを支持するように構成されるハンドルアセンブリをさらに備え、該ハンドルアセンブリは、自身を通る開口端の通路を画定し、かつ、前記チャネルによって画定される前記通路と連通しており、そして、前記手術器具は、該ハンドルアセンブリ内に画定される該通路を介して、該チャネルの該通路の中に選択的に導入可能である、請求項１５に記載の内視鏡的縫合装置。
【手続補正２】
【補正対象書類名】明細書
【補正対象項目名】００１０
【補正方法】変更
【補正の内容】
【００１０】
上記課題を解決するために、本発明は、例えば、以下を提供する：
（項目１）
内視鏡的縫合装置であって、
関節運動可能なネックアセンブリであって、自身の縦方向軸を横断する少なくとも１つの方向への関節運動のために構成および適合される、ネックアセンブリと、
該ネックアセンブリの遠位端上に動作可能に支持されるツールアセンブリと、
該ツールアセンブリと動作可能に関連付けられる縫合針であって、該ツールアセンブリは、互いに関連付けられる一対の並列のジョーを含み、各ジョーは、自身の組織接触表面に形成される針受容陥凹を画定する、縫合針と
を備える、装置。
（項目２）
各ジョーにおいて摺動可能に支持される、軸方向に平行移動可能な針係合ブレードをさらに備える、項目１に記載の内視鏡的縫合装置。
（項目３）
各ブレードは、前進位置を含み、ここにおいて、上記縫合針が上記それぞれのジョーの中にあるときに、該ブレードの遠位端は、該縫合針を係合して、それによって該縫合針を自身で確保する、項目２に記載の内視鏡的縫合装置。
（項目４）
各ブレードは、後退位置を含み、ここにおいて、該ブレードの遠位端は、上記縫合針との係合から外れている、項目２に記載の内視鏡的縫合装置。
（項目５）
上記一対のブレードは、互いに対して反対方向に平行移動するように、互いに動作可能に接合される、項目２に記載の内視鏡的縫合装置。
（項目６）
上記ネックアセンブリを通って平行移動可能に延在し、上記一対のジョーに動作可能に接続される、作動ケーブルをさらに備える、項目１に記載の内視鏡的縫合装置。
（項目７）
上記作動ケーブルは、上記ジョーが互いから離れて間隔を置く、第１の位置と、該一対のジョーが互いに近接して間隔を置く関係にある、第２の位置とを含む、項目６に記載の内視鏡的縫合装置。
（項目８）
上記作動ケーブルは、上記ネックアセンブリの中心軸に沿って配置されてもよい、項目７に記載の内視鏡的縫合装置。
（項目９）
上記ネックアセンブリを通って摺動可能に延在し、そして、上記ツールアセンブリおよび該ネックアセンブリの遠位端のうちの１つに固定的に接続される遠位端を有する、少なくとも１つの関節運動ケーブルをさらに備える、項目１に記載の内視鏡的縫合装置。
（項目１０）
上記関節運動ケーブルは、上記ネックアセンブリの中心軸から距離をあけた軸に沿って配置される、項目９に記載の内視鏡的縫合装置。
（項目１１）
上記作動ケーブルの対向する側に沿って、上記ネックアセンブリを通って摺動可能に延在する、一対の関節運動ケーブルをさらに備える、項目６に記載の内視鏡的縫合装置。
（項目１２）
上記作動ケーブルの遠位端にキー接続されるカムハブをさらに備え、それにより、該カムハブに対する該作動ケーブルの軸方向運動を可能にし、該カムハブは、該作動ケーブルの回転時に回転する、項目６に記載の内視鏡的縫合装置。
（項目１３）
上記カムハブは、該カムハブの回転が、上記一対のブレードのそれぞれの軸方向平行移動をもたらすような態様で、各ブレードの近位端に動作可能に接続される、項目１２に記載の内視鏡的縫合装置。
（項目１４）
上記縫合針は、自身から延在する、ある長さの鉤付き縫合糸を含む、項目１に記載の内視鏡的縫合装置。
（項目１５）
ある長さのネックアセンブリの少なくとも一部に沿って延在するチャネルであって、手術器具が選択的に通過させられる通路を画定する、チャネルをさらに備える、項目１に記載の内視鏡的縫合装置。
（項目１６）
上記ネックアセンブリを支持するように構成されるハンドルアセンブリをさらに備え、該ハンドルアセンブリは、自身を通る開口端の通路を画定し、かつ、上記チャネルによって画定される上記通路と連通しており、そして、上記手術器具は、該ハンドルアセンブリ内に画定される該通路を介して、該チャネルの該通路の中に選択的に導入可能である、項目１５に記載の内視鏡的縫合装置。
（項目１７）
内視鏡的縫合装置であって、
少なくとも一対の機能を果たすように構成および適合されるエンドエフェクタと、
該エンドエフェクタに動作可能に接続される単一の作動ケーブルであって、該作動ケーブルは、少なくとも該一対の機能の動作を生じさせることが可能であり、該作動ケーブルは、自身の軸方向平行移動時に該一対の機能のうちの第１の動作を生じさせ、そして、自身の回転時に該一対の機能のうちの第２の動作を生じさせることが可能である、作動ケーブルと
を備える、装置。
（項目１８）
上記エンドエフェクタは、関節運動可能なネックアセンブリの遠位端上に動作可能に支持されるツールアセンブリを含み、該ネックアセンブリは、自身の縦方向軸を横断する少なくとも１つの方向への関節運動のために構成および適合される、項目１７に記載の内視鏡的縫合装置。
（項目１９）
上記ツールアセンブリと動作可能に関連付けられる縫合針をさらに備え、該ツールアセンブリは、互いに関連付けられる一対の並列のジョーを含み、各ジョーは、自身の組織接触表面に形成される針受容陥凹を画定する、項目１８に記載の内視鏡的縫合装置。
（項目２０）
各ジョーにおいて摺動可能に支持される、軸方向に平行移動可能な針係合ブレードをさらに備える、項目１９に記載の内視鏡的縫合装置。
（項目２１）
各ブレードは、前進位置を含み、ここにおいて、上記縫合針が上記各ジョーの中にあるときに、該ブレードの一部は該縫合針を係合して、それによって該縫合針を自身で確保し、そして、各ブレードは、後退位置を含み、ここにおいて、該ブレードは、該縫合針との係合から外れている、項目２０に記載の内視鏡的縫合装置。
（項目２２）
上記一対のブレードは、上記作動ケーブルの回転時に、互いに対して反対方向に平行移動するよう、互いに動作可能に接合される、項目２１に記載の内視鏡的縫合装置。
（項目２３）
上記作動ケーブルの軸方向の相互的な平行移動は、上記一対のジョーの開放および閉鎖をもたらす、項目１９に記載の内視鏡的縫合装置。
（項目２４）
上記作動ケーブルは、上記ネックアセンブリを通って平行移動可能に延在する、項目２３に記載の内視鏡的縫合装置。
（項目２５）
上記作動ケーブルは、上記ジョーが互いから離れて間隔を置く、第１の位置と、該一対のジョーが互いに近接して間隔を置く関係にある、第２の位置とを含む、項目２３に記載の内視鏡的縫合装置。
（項目２６）
上記ネックアセンブリを通って摺動可能に延在し、そして、上記ツールアセンブリおよび該ネックアセンブリの遠位端のうちの１つに固定的に接続される遠位端を有する、少なくとも１つの関節運動ケーブルをさらに備える、項目１８に記載の内視鏡的縫合装置。
（項目２７）
上記関節運動ケーブルは、上記ネックアセンブリの中心軸から距離をあけた軸に沿って配置される、項目２６に記載の内視鏡的縫合装置。
（項目２８）
上記作動ケーブルにキー接続されるカムハブをさらに備え、それにより、該カムハブに対する該作動ケーブルの軸方向平行移動を可能にし、該カムハブは、該作動ケーブルの回転時に回転する、項目２０に記載の内視鏡的縫合装置。
（項目２９）
上記カムハブは、該カムハブの回転が、上記一対のブレードのそれぞれの軸方向平行移動をもたらすような態様で、各ブレードの近位端に動作可能に接続される、項目２８に記載の内視鏡的縫合装置。
（項目３０）
上記縫合針は、自身から延在する、ある長さの鉤付き縫合糸を含む、項目１９に記載の内視鏡的縫合装置。
（項目３１）
ある長さのネックアセンブリの少なくとも一部に沿って延在するチャネルであって、手術器具が選択的に通過させられる通路を画定する、チャネルをさらに備える、項目１７に記載の内視鏡的縫合装置。
（項目３２）
上記ネックアセンブリを支持するように構成されるハンドルアセンブリをさらに備え、該ハンドルアセンブリは、自身を通る開口端の通路を画定し、かつ、上記チャネルによって画定される上記通路と連通しており、そして、上記手術器具は、該ハンドルアセンブリ内に画定される該通路を介して、該チャネルの該通路の中へ選択的に導入可能である、項目３１に記載の内視鏡的縫合装置。
本開示は、アクセス管または同類のものを介した内視鏡的縫合および／または縫い合わせのためのエンドエフェクタ、システム、および方法に関する。